(57)【要約】【課題】寸法の異なる複数の電子機器に対して、付属部品を準備しなくても共用することの可能な電子機器用卓上ホルダを提供する。【解決手段】本発明に係る卓上ホルダは、電子機器を挿入するためのポケット部が上面に形成されているホルダ本体と、ポケット部の内側に突出可能に設置されている接触端子と、ポケット部の側面において内側に突出する位置決め部材と、位置決め部材がポケット部に挿入された電子機器に複数方向へ押圧力を加えて電子機器の被接触端子が接触端子に接触される位置に電子機器を位置決めするよう、位置決め部材を付勢する第1の弾性部材と、を備えている。【選択図】図２
2010245972.tif 000002
【特許請求の範囲】
【請求項１】
電気的接触に接触されるための被接触端子を有する電子機器用の卓上ホルダであって、
電子機器を挿入するためのポケット部が上面に形成されているホルダ本体と、
前記ポケット部の内側に突出可能に設置されている接触端子と、
前記ポケット部の側面において内側に突出する位置決め部材と、
前記位置決め部材が前記ポケット部に挿入された電子機器に複数方向へ押圧力を加えて電子機器の被接触端子が前記接触端子に接触される位置に電子機器を位置決めするよう、前記位置決め部材を付勢する第1の弾性部材と、
を備える卓上ホルダ。
【請求項２】
前記位置決め部材は、
前記ポケット部に挿入された電子機器を電子機器の厚さ方向に押圧する第１の位置決め部材と、
前記ポケット部に挿入された電子機器を電子機器の幅方向に押圧する第２の位置決め部材と、
を有する請求項１に記載の卓上ホルダ。
【請求項３】
前記第１または第２の位置決め部材の少なくとも一方は、
前記ホルダ本体に回動可能に取り付けられた第１の支持部と、
前記ポケット部に挿入された電子機器に当接する当接面が形成され、前記第１の支持部に回動可能に取り付けられている当接部と、を有し、
前記第１の支持部又は前記当接部の少なくとも一方が、前記第１の弾性部材によって前記ポケット部の内側に向かって付勢されている、請求項２に記載の卓上ホルダ。
【請求項４】
前記第１または第２の位置決め部材の少なくとも一方は、前記第１の支持部の回動支点とは異なる位置で回動可能なよう、前記ホルダ本体に取り付けられた第２の支持部をさらに有し、
前記当接部材は、その当接面が前記ポケット部に挿入される携帯電話機に対向する状態で、前記第１及び第２の支持部に支持されており、
前記第２の支持部は、前記当接部に対して前記第１の支持部とは異なる位置に回動可能なよう前記当接部材に取り付けられており、前記第１の支持部、前記第２の支持部、又は前記当接部材の少なくとも一つが前記ポケット部の内側に向かって付勢されている、請求項３に記載の卓上ホルダ。
【請求項５】
前記位置決め部材は、前記ポケット部に挿入された電子機器に当接する当接面が電子機器の厚さ方向及び幅方向に対して傾斜している、請求項１に記載の卓上ホルダ。
【請求項６】
前記接触端子が取り付けられ、前記ホルダ本体内に設置された端子取り付け部材と、
前記接触端子が前記ポケット部の内側に突出するように前記端子取り付け部材を付勢する第２の弾性部材と、をさらに備え、
前記位置決め部材は、前記接触端子が前記ポケット部より退出するよう、前記第２の弾性部材による付勢力に抗して前記端子取り付け部材を抑えており、前記ポケット部に挿入された電子機器に押圧されることで前記端子取り付け部材の抑えを解除するように移動する、請求項１〜５のいずれかに記載の卓上ホルダ。
【請求項７】
前記位置決め部材は、前記端子取り付け部材の被係合部と係合する係合部を有し、前記係合部が前記被係合部と係合することで前記接触端子を前記ポケット部より退出させており、
前記第1の弾性部材は、前記位置決め部材の係合部が前記端子取り付け部材の被係合部と係合するように前記位置決め部材を付勢し、
前記ポケット部に電子機器が挿入されることで、前記位置決め部材が電子機器に押圧され前記第1の弾性部材による付勢力に抗して移動し、前記係合部と被係合部との係合が解除されて前記接触端子が前記ポケット部の内側に突出する、請求項６に記載の卓上ホルダ。
【請求項８】
前記係合部と被係合部とがカム機構を構成している、請求項７に記載の卓上ホルダ。
【請求項９】
前記接触端子が取り付けられ、前記ホルダ本体内に設置された端子取り付け部材と、
前記接触端子が前記ポケット部より退出するように前記端子取り付け部材を付勢する第３の弾性部材と、をさらに備え、
前記位置決め部材は、前記ポケット部に挿入された電子機器によって押圧されることで、前記第３の弾性部材の付勢力に抗して前記接触端子が前記ポケット部の内側に突出するよう前記端子取り付け部材を押圧する、請求項１〜５のいずれかに記載の卓上ホルダ。
【請求項１０】
前記位置決め部材は、前記端子取り付け部材の被係合部と係合する係合部を有し、
前記係合部と被係合部とがカム機構を構成している、請求項９に記載の卓上ホルダ。
【請求項１１】
前記端子取り付け部材は、前記ポケット部の底面に沿うとともに接触端子を取り付け可能な第1の取り付け部と、前記ポケット部の側面に沿うとともに接触端子を取り付け可能な第２の取り付け部を有する、請求項６〜１０のいずれかに記載の卓上ホルダ。
【請求項１２】
前記接触端子が取り付けられ、前記ホルダ本体内に設置された端子取り付け部材をさらに備え、
前記端子取り付け部材は、前記ポケット部の底面に沿うとともに接触端子が取り付け可能な第１の取り付け部と、前記ポケット部の側面に沿うとともに接触端子が取り付け可能な第２の取り付け部と、を有し、
前記ポケット部内に電子機器が挿入されることで、前記第１及び第２の取り付け部のどちらか一方に取り付けられた接触端子がポケット部の内側に突出する、請求項１〜５のいずれかに記載の卓上ホルダ。
【請求項１３】
前記第１及び第２の取り付け部のどちらか一方に取り付けられた接触端子が前記ポケット部内に突出するよう、前記端子取り付け部材を付勢する第４の弾性部材と、
前記ポケット部の内側において突出する規制部材と、をさらに備え、
前記規制部材は、前記接触端子が前記ポケット部の内側に突出しないよう、前記第４の弾性部材の付勢力に抗して前記端子取り付け部材を規制し、前記ポケット部に挿入された電子機器に押圧されることで前記端子取り付け部材の規制を解除するように移動する、請求項１２に記載の卓上ホルダ。
【請求項１４】
前記第１及び第２の取り付け部のどちらか一方に取り付けられた接触端子が前記ポケット部より退出するよう、前記端子取り付け部材を付勢する第５の弾性部材と、
前記ポケット部の内側において突出する押圧部材と、をさらに備え、
前記押圧部材は、前記ポケット部に挿入された電子機器によって押圧されることで、前記第５の弾性部材の付勢力に抗して前記接触端子が前記ポケット部の内側に突出するよう前記端子取り付け部材を押圧する、請求項１２に記載の卓上ホルダ。
【発明の詳細な説明】
【技術分野】
【０００１】
本発明は、電子機器用の卓上ホルダに関する。
【背景技術】
【０００２】
従来、被接触端子を通じて電流や信号等の送られる電子機器に対して、種々の卓上ホルダが提案されている。例えば、携帯電話機用の卓上ホルダは、ホルダ本体の上面に携帯電話機が挿入されるポケット部が形成されており、このポケット部内に接触端子が設置されている。そして、この卓上ホルダのポケット部に携帯電話機を挿入すると、携帯電話機の被接触端子と接触端子とが接触して携帯電話機に電流や信号が送受信されるように構成されている。ここで、携帯電話機は種々の形状のものが存在するため、卓上ホルダのポケット部は各携帯電話機に対応するように機種毎に固有の寸法となっている。このため、卓上ホルダは、機種毎に固有のものが使用されていた。
【０００３】
これに対して、例えば、特許文献１には、スペーサとして機能する付属部品がポケット部背面に設置されるとともに、ポケット部の内側に向かってばねで付勢されたロックつめがポケット部両側面に設置された卓上ホルダが提案されている。この卓上ホルダは、上記付属部品とポケット部前面とで携帯電話機を挟むことによって、携帯電話機を厚さ方向に位置決めする。このため、上記付属部品は携帯電話機の厚さに対応するよう種々の大きさのものが準備されている。また、上記ロックつめが、携帯電話機の幅に追従し、携帯電話機の両側面に形成されている凹部に嵌まることによって、携帯電話機を幅方向に位置決めする。これにより、寸法の異なる複数の携帯電話機に対して同一の卓上ホルダを使用することが可能となる。
【先行技術文献】
【特許文献】
【０００４】
【特許文献１】特開２００７−１１６３１７号公報
【発明の概要】
【発明が解決しようとする課題】
【０００５】
しかしながら、上述した携帯電話機用卓上ホルダには、厚さの異なる携帯電話機毎に付属部品を準備しなければならないという問題がある。すなわち、厚さの異なる複数の携帯電話機に対しては、各々の厚さに応じた付属部品を新たに設計及び製造し、付け替えるという作業をしなければ、同一の卓上ホルダを使用することはできない。このような問題は、携帯電話機用卓上ホルダにとどまらず、ポケット部に電子機器を挿入して使用する卓上ホルダ全般に起こり得るものである。
【０００６】
そこで、本発明は、寸法の異なる複数の電子機器に対して、付属部品を準備しなくても共用することが可能な電子機器用の卓上ホルダを提供することを課題とする。
【課題を解決するための手段】
【０００７】
本発明に係る電子機器用の卓上ホルダは、上記課題を解決するためになされたものであり、電子機器を挿入するためのポケット部が上面に形成されているホルダ本体と、前記ポケット部の内側に突出可能に設置されている接触端子と、前記ポケット部の側面において内側に突出する位置決め部材と、前記位置決め部材が前記ポケット部に挿入された電子機器に複数方向へ押圧力を加えて電子機器の被接触端子が前記接触端子に接触される位置に電子機器を位置決めするよう、前記位置決め部材を付勢する第1の弾性部材と、を備えている。
【０００８】
本発明に係る卓上ホルダは、ホルダ本体の上面にポケット部が形成されており、ポケット部に電子機器が挿入されて使用される。電子機器がポケット部に挿入されると、ポケット部の内側に突出している位置決め部材が、電子機器に複数方向へ押圧力を加えて、電子機器の被接触端子がポケット部の内側に突出可能に設置された接触端子に接触されるよう位置決めする。上記位置決め部材は、第１の弾性部材によって弾性付勢されているため、電子機器の寸法に追従して押圧する。この構成によれば、ポケット部の内側において、電子機器の被接触端子が接触端子に接触するよう、様々な寸法の電子機器を位置決めすることができる。従って、寸法の異なる複数の電子機器に対して、電子機器毎に付属部品を準備することなく同一の卓上ホルダを使用することができる。また、従来は幅が異なる機器に対応するためにロックつめを用いており、この場合、電子機器にはロックつめが嵌る凹部を設ける必要があったが、本発明では電子機器に凹部を設ける必要はなく、電子機器の設計、外観デザインが制限されない。
【０００９】
本発明に係る卓上ホルダは、上記位置決め部材が第１の位置決め部材と第２の位置決め部材とを有し、ポケット部に挿入された電子機器に対して、第１の位置決め部材が厚さ方向に押圧し、第２の位置決め部材が幅方向に押圧するよう構成することもできる。この構成によれば、ポケット部に挿入された電子機器に厚さ方向かつ幅方向の複数方向へ押圧力を加えることができるため、電子機器を確実に位置決めするとともに安定して電子機器の位置補正をすることができる。また、ユーザが電子機器を正確にポケット部に挿入しなくても、例えば斜めに挿入したとしても、位置決め部材によって前後又は左右への傾きが補正される。
【００１０】
上記卓上ホルダは、第１または第２の位置決め部材の少なくとも一方が、ホルダ本体に回動可能に取り付けられた第１の支持部を有し、この第１の支持部に当接部が回動可能に取り付けられ、第１の支持部又は当接部の少なくとも一方がポケット部の内側に向かって付勢されているよう構成してもよい。この構成によれば、当接部材は、ポケット部に挿入された電子機器に当接されて回動しながら、第１の支持部または当接部の少なくとも一方がポケット部の内側に向かって付勢されていることで電子機器を押圧する。これにより、ポケット部に挿入された電子機器の傾きを補正することができる。また、点で押圧するのではなく面で押圧するため、より安定して位置補正できる。
【００１１】
上記第１または第２の位置決め部材の少なくとも一方は、上記第１の支持部の回動支点とは異なる位置で回動するよう、ホルダ本体に取り付けられた第２の支持部をさらに有していてもよい。この第１及び第２の支持部は、当接部材及びホルダ本体のそれぞれ異なる位置に回動可能にそれぞれ取り付けられていることで、当接部材の当接面がポケット部に挿入される電子機器に対向する状態を確実に維持している。これにより、ポケット部に挿入された電子機器に対し、より安定して傾き及び位置補正をすることができる。
【００１２】
本発明に係る卓上ホルダは、位置決め部材のポケット部に挿入された電子機器に当接する当接面が電子機器の厚さ方向及び幅方向に対して傾斜していてもよい。この傾斜する面でポケット部に挿入された電子機器をポケット部の内側かつ斜め方向に押圧するよう構成してもよい。この構成によれば、ポケット部に挿入された電子機器をポケット部の内側かつ斜め方向に押圧することができる。これにより、ポケット部に挿入された電子機器に対して一方向の押圧で厚さ方向及び幅方向の複数方向の押圧力を作用させることができ、ポケット部に挿入された電子機器を確実に位置決めすることができる。また、ユーザが電子機器を正確にポケット部に挿入しなくても、例えば斜めに挿入したとしても、位置決め部材によって前後又は左右への傾きが補正される。
【００１３】
本発明に係る卓上ホルダは、接触端子が取り付けられ、接触端子がポケット部内に突出するよう、第２の弾性部材によって付勢された端子取り付け部材をさらに備えることができる。この端子取り付け部材は、位置決め部材により、第２の弾性部材の付勢力に抗して抑えられている。ポケット部に電子機器が挿入されると、位置決め部材は、電子機器に押圧され、端子取り付け部材の抑えを解除するよう移動する。これにより、端子取り付け部材に取り付けられた接触端子がポケット部内に突出する。この構成によれば、位置決め部材と端子取り付け部材とを連動させることができる。また、接触端子は常に一定量突出するので、厚みが異なるどの電子機器の被接触端子に対しても、一定の圧力で接触する。また、従来は、電子機器の自重によって接触端子を突出させる構造の卓上ホルダも存在するが、本発明は電子機器の重さとは関係なく厚みによって動作するので、電子機器が軽い場合にも接触端子を重い場合と同様に一定の圧力で突出させることが出来る。
【００１４】
上記位置決め部材は、端子取り付け部材の被係合部と係合する係合部を有していてもよい。位置決め部材は、第１の弾性部材によって付勢されるとともに係合部が非係合部と係合することにより、接触端子がポケット部より退出するよう、端子取り付け部材を抑えている。ポケット部に電子機器が挿入されると、位置決め部材は、電子機器に押圧されて移動する。これにより、位置決め部材の係合部と端子取り付け部材の被係合部との係合が解除され、接触端子がポケット部の内側に突出する。この構成によれば、接触端子の突出を確実に制御し、一定量突出させることができる。
【００１５】
上記位置決め部材は、係合部と被係合部とがカム機構を構成していてもよい。この構成によれば、端子取り付け部材を円滑に移動させることができる。
【００１６】
上記卓上ホルダにおいては、端子取り付け部材は、接触端子が突出するよう付勢されていたが、接触端子が退出するよう付勢されていてもよい。例えば、第３の弾性部材によって端子取り付け部材を付勢し、電子機器がポケット部に挿入されると、第３の弾性部材の付勢力に抗して位置決め部材が端子取り付け部材を押圧することにより、接触端子がポケット部内に突出するよう構成することができる。
【００１７】
上記位置決め部材は、前記端子取り付け部材の被係合部と係合する係合部を有し、カム機構を構成していてもよい。この構成によると、端子の突出量は一定なので、厚みが大きい電子機器でも小さい電子機器でも、被接触端子への接触圧を一定に保つことが出来る。
【００１８】
端子取り付け部材は、ポケット部の底面に沿うとともに接触端子を取り付け可能な第１の取り付け部、及びポケット部の側面に沿うとともに接触端子を取り付け可能な第２の取り付け部を有していてもよい。この構成によれば、第１及び第２の取り付け部を選択的に使用することにより、共通の部品を用いて被接触端子の位置が異なる電子機器に対応する卓上ホルダを提供することが出来る。
【００１９】
本発明に係る卓上ホルダは、上述したような第１及び第２の取り付け部を有する端子取り付け部材をさらに備えるとともに、電子機器をポケット部に挿入すると、第１または第２の取り付け部のどちらか一方に取り付けられた接触端子がポケット部内に突出するよう構成することができる。この構成によれば、位置決め部材と端子取り付け部材とをそれぞれ単独で動作させることができるので、接触端子の突出位置を位置決め部材に制限されることなく自由に設計することが出来る。また、第１及び第２の取り付け部を選択的に使用することにより、共通の部品を用いて被接触端子の位置が異なる電子機器に対応する卓上ホルダを提供することが出来る。
【００２０】
上記卓上ホルダは、ポケット部の内側において突出する規制部材をさらに備えていてもよい。端子取り付け部材は、接触端子がポケット部内に突出するよう、第４の弾性部材によって付勢されている。そして、上記規制部材は、接触端子がポケット部内に突出しないよう、第４の弾性部材の付勢力に抗して端子取り付け部材を規制している。ポケット部に電子機器が挿入されると、上記規制部材は、電子機器に押圧され、端子取り付け部材の規制を解除するよう移動し、これにより、接触端子がポケット部内に突出する。この構成によれば、接触端子の突出を確実に制御して、接触端子を常に一定量突出させるので、厚みが異なる電子機器の被接触端子に対しても、一定の圧力で接触端子を接触させることが出来る。
【００２１】
上記卓上ホルダにおいて、端子取り付け部材は、接触端子が突出するよう付勢されていたが、接触端子が退出するよう付勢されていてもよい。例えば、端子取り付け部材を第５の弾性部材によって接触端子が退出するよう付勢し、電子機器がポケット部に挿入されると、押圧部材が第５の弾性部材の付勢力に抗して端子取り付け部材を押圧して、接触端子がポケット部内に突出するよう構成することができる。
【発明の効果】
【００２２】
本発明によれば、寸法の異なる複数の電子機器について、付属部品を準備しなくても卓上ホルダを共用することができる。
【図面の簡単な説明】
【００２３】
【図１】第１実施形態に係る卓上ホルダの斜視図である。
【図２】第１実施形態に係る卓上ホルダの内部構造の斜視図である。
【図３】第１実施形態に係る卓上ホルダの内部構造の左側面図である。
【図４】第１実施形態に係る卓上ホルダの内部構造の背面図である。
【図５】第１実施形態に係る卓上ホルダの動作を示す平面概略図である。
【図６】第１実施形態の変形例に係る卓上ホルダの内部構造の斜視図である。
【図７】第１実施形態の変形例に係る卓上ホルダの動作を示す背面図である。
【図８】第１実施形態の変形例に係る卓上ホルダの一部を示す背面概略図である。
【図９】第２実施形態に係る卓上ホルダの斜視図である。
【図１０】第２実施形態に係る卓上ホルダの内部構造の斜視図である。
【図１１】第２実施形態に係る卓上ホルダの内部構造の正面図である。
【図１２】第２実施形態に係る卓上ホルダの動作を示す平面概略図である。
【図１３】第１及び２実施形態の変形例に係る卓上ホルダの平面概略図である。
【図１４】第３実施形態に係る卓上ホルダの右側面断面図である。
【図１５】第３実施形態に係る卓上ホルダの平面図である。
【図１６】第３実施形態に係る卓上ホルダの平面断面図である。
【図１７】第３実施形態に係る卓上ホルダの動作を示す平面図である。
【図１８】第３実施形態に係る卓上ホルダの動作を示す右側面断面図である。
【図１９】第３実施形態に係る卓上ホルダの動作を示す右側面断面図である。
【図２０】第３実施形態に係る卓上ホルダの動作を示す右側面断面図である。
【図２１】第４実施形態に係る卓上ホルダの右側面断面図である。
【図２２】第４実施形態に係る卓上ホルダの平面断面図である。
【図２３】第４実施形態に係る卓上ホルダの動作を示す右側面断面図である。
【図２４】第４実施形態に係る卓上ホルダの動作を示す右側面断面図である。
【図２５】第５実施形態に係る卓上ホルダの右側面断面図である。
【図２６】第５実施形態に係る卓上ホルダの一部の右側面断面図である。
【図２７】第５実施形態に係る卓上ホルダの一部の右平面断面図である。
【図２８】第５実施形態に係る卓上ホルダの一部の動作を示す右側面断面図である。
【図２９】第１及び２実施形態の変形例に係る卓上ホルダの動作を示す右側断面概略図である。
【発明を実施するための形態】
【００２４】
以下、本発明に係る携帯電話機用の卓上ホルダの実施形態について、図面を参照しつつ説明する。なお、説明の便宜上、図１における斜め左下を前、斜め右上を後と称することとする。
【００２５】
（第１実施形態）
以下、本発明に係る卓上ホルダの第１実施形態について、図１〜図４を参照しつつ説明する。
【００２６】
図１及び図２に示すように、第１実施形態に係る卓上ホルダ１０は、携帯電話機を挿入するためのポケット部２０１が形成されたホルダ本体２０を備えており、このホルダ本体２０に、ポケット部２０１に挿入された携帯電話機を位置決めするための第１の位置決め部材３０及び第２の位置決め部材３１ａ、３１ｂが、ポケット部２０１内に突出するよう設置されている。また、図３に示すように、接触端子４０はポケット部２０１の後面からポケット部２０１内に突出可能なよう、ホルダ本体２０に設置されている。
【００２７】
図２に示すように、第１の位置決め部材３０は、携帯電話機を前方から押圧するための部材であり、腕部３０１ａ、３０１ｂと、腕部３０１ａ、３０１ｂを連結する連結部３０２とを有している。腕部３０１ａ、３０１ｂの外側面にはそれぞれ第１の回転軸３０３ａ、３０３ｂが形成されており、第１の位置決め部材３０はこの第１の回転軸３０３ａ、３０３ｂを中心に回動可能なようホルダ本体２０に取り付けられている。また、第１の位置決め部材３０は、第１の回転軸３０３ａ、３０３ｂに巻回された第１のねじりコイルばね６０ａ、６０ｂによって、腕部３０１ｂの外側から見て第１の回転軸３０３ｂを中心に反時計回りに付勢されている（図２に矢印Ｙ１で明記）。これにより、第１の位置決め部材３０は、ポケット部２０１内に挿入された携帯電話機の前面を第１の当接面３０１１ａ、３０１１ｂで押圧する。なお、第１のねじりコイルばね６０ａ、６０ｂは本発明の第１の弾性部材に相当する。
【００２８】
図４に示すように、第２の位置決め部材３１ａ、３１ｂは、内側の上部に凸部３１２ａ、３１２ｂが形成され、第２の回転軸３１１ａ、３１１ｂが下部に形成されている。そして、第２の位置決め部材３１ａ、３１ｂは、第２の回転軸３１１ａ、３１１ｂを中心に回動可能なようホルダ本体２０に取り付けられている。また、第２の位置決め部材３１ｂは、第２の回転軸３１１ｂに巻回された第２のねじりコイルばね６１ｂによって、後方から見て第２の回転軸３１１ｂを中心に時計回りに付勢されている。これにより、第２の位置決め部材３１ｂは、ポケット部２０１に挿入された携帯電話機の一方の側面を第２の当接面３１２１ｂで押圧する。同様に、第２の位置決め部材３１ａは、第２のねじりコイルばね（図示省略）によって、後方から見て第２の回転軸３１１ａを中心に反時計回りに付勢されている。これにより、第２の位置決め部材３１ａは、携帯電話機の他方の側面を第２の当接面３１２１ａで押圧する。なお、第２のねじりコイルばねは本発明の第１の弾性部材に相当する。
【００２９】
次に、第１実施形態に係る卓上ホルダ１０の動作について図５も参照しつつ説明する。
【００３０】
図５（ａ）（ｂ）に示すように、第１の位置決め部材３０及び第２の位置決め部材３１ａ、３１ｂは、初期状態ではポケット部２０１内に最大限突出しているが、携帯電話機Ｐ１がポケット部２０１に挿入されると第１の位置決め部材３０及び第２の位置決め部材３１ａ、３１ｂは、携帯電話機Ｐ１の被接触端子（図示省略）がポケット部２０１内の接触端子４０と接触するよう、厚さ方向及び幅方向に携帯電話機Ｐ１を位置決めする。以下、厚さ方向及び幅方向の携帯電話機の位置決め方法について説明する。
【００３１】
まず、携帯電話機Ｐ１に対する厚さ方向の位置決めについて説明すると、図５（ｂ）に示すように、ポケット部２０１に挿入された携帯電話機Ｐ１は、その前面が第１の位置決め部材３０における第１の当接面３０１１ａ、３０１１ｂの少なくとも一方に当接する。第１の位置決め部材３０は、第１のねじりコイルばね６０ａ、６０ｂの付勢力によって携帯電話機Ｐ１を後方に向かって押圧する。これにより、携帯電話機Ｐ１は、ポケット部内２０１において、ポケット部２０１の後面に当接した位置に位置決めされる。また、携帯電話機Ｐ１が前後方向に傾いて挿入された場合でも、位置決め部材３０によって傾きが補正される。
【００３２】
次に、携帯電話機Ｐ１に対する幅方向の位置決めについて説明すると、図５（ｂ）に示すように、携帯電話機Ｐ１は、側面が第２の当接面３１２１ａ、３１２１ｂの少なくとも一方に当接する。第２の位置決め部材３１ａ、３１ｂは、第２のねじりコイルばねの付勢力によって携帯電話機Ｐ１の側面をポケット部２０１の内側に向かって押圧する。これにより、携帯電話機Ｐ１は、ポケット部２０１内において幅方向中央に位置決めされる。また、携帯電話Ｐ１が左右へ傾いて挿入された場合も傾きが補正される。
【００３３】
なお、図５（ｃ）に示すように、寸法の大きい携帯電話機Ｐ２をポケット部２０１に挿入した場合、第１の位置決め部材３０は、寸法の小さい携帯電話機Ｐ１の場合と同様に、ポケット部２０１内においてポケット部２０１の後面に当接した位置に携帯電話機Ｐ２を位置決めする。また、第２の位置決め部材３１ａ、３１ｂも、携帯電話機Ｐ１の場合と同様に、携帯電話機Ｐ２を左右から同等の力で押圧し、ポケット部２０１内において幅方向中央位置に携帯電話機Ｐ２を位置決めする。
【００３４】
以上のように、第１実施形態に係る卓上ホルダ１０は、第１の位置決め部材３０及び第２の位置決め部材３１ａ、３１ｂが、携帯電話機の厚さ方向及び幅方向の寸法に応じて移動してポケット部２０１に挿入された携帯電話機に複数方向へ押圧力を加えて、携帯電話機の被接触端子に接触端子４０が接触するよう、ポケット部２０１内において携帯電話機を位置決めする。これにより、寸法が異なる携帯電話機に対して、付属部品を準備することなく、同一の卓上ホルダを使用することができる。また、上記卓上ホルダ１０においては、第１の位置決め部材３０の第１の当接面３０１１ａ、３０１１ｂがポケット部２０１に挿入された携帯電話機の前方に当接するとともに、第２の位置決め部材３１ａ、３１ｂの第２の当接面３１２１ａ、３１２１ｂが携帯電話機の両側方に当接している。このように、第１及び第２の位置決め部材が４箇所で携帯電話機に当接することにより、前後・左右への傾きを補正し、安定してポケット部に挿入された携帯電話機の位置補正をすることができる。
【００３５】
ところで、上記第１実施形態においては、図６及び図７に示すように、第２の位置決め部材３１０ａ、３１０ｂが、携帯電話機に当接するための当接部材３１０１ａ、３１０１ｂと、当接部材３１０１ａ、３１０１ｂが上部に取り付けられた第１の支持部３１０２ａ、３１０２ｂとを有するよう構成されていてもよい。第１の支持部３１０２ａ、３１０２ｂは、第３の回転軸３１０３ａ、３１０３ｂを中心に回動可能なよう、ホルダ本体の底部に取り付けられている。また、第１の支持部３１０２ａ、３１０２ｂは、第１実施形態の第２の位置決め部材３１ａ、３１ｂと同様に付勢されることで、当接部材３１０１ａ、３１０１ｂにおける平坦な当接面３１０１１ａ、３１０１１ｂでポケット部に挿入された携帯電話機を押圧する。これにより、広い面で携帯電話機を押圧することができるため、安定して携帯電話機の幅方向の位置及び傾きを補正することができる。なお、第１の支持部３１０２ａ、３１０２ｂではなく、当接部材３１０１ａ、３１０１ｂが付勢される構成でも良い。
【００３６】
また、図８に示すように、第２の位置決め部材３１０ａにおいて、第２の支持部３１０４ａを第４の回転軸３１０５ａを中心に回動可能なようホルダ本体に取り付け、当接部材３１０１ａを第２の支持部３１０４ａに取り付けることもできる。第４の回動軸３１０５ａは、第３の回動軸３１０３ａから所定の間隔離れた上方にあり、第２の支持部３１０４ａは、当接部材３１０１ａの第１の支持部３１０２ａが取り付けられた位置から所定間隔離れた位置に取り付けられている。第１の支持部３１０２ａと第２の支持部３１０４ａとは、同じ長さで、第１の支持部３１０２ａと第２の支持部３１０４とは平行に動作するため、当接部材３１０１ａを常に垂直を保ったまま動作する。第２の位置決め部材３１０ｂにおいても同様に構成する。これにより、当接部材３１０１ａ、３１０１ｂの揺動が防止され、より安定して携帯電話機の幅方向の位置及び傾きを補正することができる。なお、この場合も第１の支持部３１０２ａ、３１０２ｂ、第２の支持部３１０４ａ、３１０４ｂ、又は当接部材３１０１ａ、３１０１ｂの少なくとも一つが付勢されていればよい。
【００３７】
また、第１の支持部３１０２ａ及び第２の支持部３１０４ａの長さが同じとして説明したが、それぞれの長さを変えてもよく、この場合当接面は垂直ではなく、角度を持った動作をする。位置補正する機器の形状に合わせて角度を付けた当接面を保ちたい場合は、機器に合わせた長さに設定すればよい。
【００３８】
また、第３の回動軸３１０３ａと第４の回動軸３１０５ａとの取り付け位置関係は、上下方向でなくてもよく、所定間隔離れていれば左右・前後方向でも良い。なお、第１の支持部３１０２ｂ及び第２の支持部３１０４ｂ、又は第３の回動軸３１０３ｂ及び第４の回動軸３１０５ｂにおいても同様である。
【００３９】
（第２実施形態）
以下、本発明に係る卓上ホルダの第２実施形態について、図９〜図１２を参照しつつ説明する。
【００４０】
図９及び図１０に示すように、第２実施形態に係る卓上ホルダ１２は、第１実施形態と同様のホルダ本体２０に、ポケット部２０１に挿入された携帯電話機を位置決めするための位置決め部材３２がポケット部２０１内に突出するよう設置されている。また、接触端子４０は、第１実施形態と同様に、ポケット部２０１の後面からポケット部２０１内に突出するようホルダ本体２０に設置されている。なお、ホルダ本体２０及び接触端子４０の構成は第１実施形態と同様であり、同一構成は同一符号を付して説明を省略する。
【００４１】
図１０に示すように、位置決め部材３２は、携帯電話機の両角部を押圧するための部材であり、腕部３２１ａ、３２１ｂを備えている。この腕部３２１ａ、３２１ｂは、ポケット部２０１に挿入される携帯電話機の厚さ又は幅方向に対して傾斜した当接面３２１１ａ、３２１１ｂを有しており、連結部材３２２によって連結されている。位置決め部材３２は、腕部３２１ａ、３２１ｂの外側面に回転軸３１３ａ、３１３ｂが形成されており、この回転軸３１３ａ、３１３ｂを中心に回動可能なよう、ホルダ本体２０に取り付けられている。また、位置決め部材３２は、回転軸３１３ａ、３１３ｂに巻回されたねじりコイルばね６０ａ、６０ｂによって、腕部３２１ｂの外側から見て時計回りに付勢されている（図１０に矢印Ｙ２で明記）。これにより、位置決め部材３２は、ポケット部２０１に挿入された携帯電話機の両角部を斜面状の当接面３２１１ａ、３２１１ｂで押圧する。
【００４２】
次に、第２実施形態に係る卓上ホルダ１２の動作について説明する。
【００４３】
図１２（ａ）（ｂ）に示すように、携帯電話機Ｐ１がポケット部に挿入されると、位置決め部材３２は、携帯電話機Ｐ１の被接触端子（図示省略）にポケット部２０１内の接触端子４０が接触するよう、厚さ方向及び幅方向に携帯電話機Ｐ１を位置決めする。詳述すると、携帯電話機Ｐ１は、その前方両角部が当接面３２１１ａ、３２１１ｂに当接する。位置決め部材３２は、ねじりコイルばね６０ａ、６０ｂの付勢力によって携帯電話機Ｐ１を後方へ押圧する。これにより、携帯電話機Ｐ１は、ポケット部２０１内において、ポケット部２０１の後面に当接する位置かつ幅方向中央位置に位置決めされ、前後・左右への傾きが補正される。
【００４４】
なお、図１２（ｃ）に示すように、寸法の大きい携帯電話機Ｐ２をポケット部２０１に挿入した場合も寸法の小さい携帯電話機Ｐ１の場合と同様に、位置決め部材３２は、携帯電話機Ｐ２の両角部を押圧し、ポケット部２０１の後面に当接した位置かつ幅方向中央位置に携帯電話機Ｐ２を位置決めする。
【００４５】
以上のように、第２実施形態に係る卓上ホルダ１２は、位置決め部材３２が、斜面状の当接面３２１１ａ、３２１１ｂで携帯電話機の両角部を押圧し、携帯電話機に対して厚さ方向及び幅方向の複数方向の押圧力を同時に作用させることで、携帯電話機Ｐ１の被接触端子に接触端子４０が接触するよう、携帯電話機をポケット部２０１内において位置決めする。これにより、１つの位置決め部材でも、第１実施形態と同様に携帯電話機を位置決めすることができ、かつ部品点数を削減することができる。
【００４６】
上記第１及び第２実施形態に係る卓上ホルダは、ポケット部に挿入された携帯電話機をポケット部の後面に当接する位置かつ幅方向中央位置に位置決めしていたが、これに限定されるものではなく、携帯電話機の被接触端子が接触端子に接触されるように位置決めすることができればよい。例えば、図１３（ａ）（ｂ）に示すように、携帯電話機Ｐを前後左右から押圧するか、あるいは前後左右の角部を押圧して、ポケット部の中央に位置決めすることもできる。また、図１３（ｃ）（ｄ）に示すように、携帯電話機Ｐを前または後かつ一側方から押圧するか、あるいは角部の１つを押圧して、ポケット部の隅に位置決めすることもできる。
【００４７】
また、上記第１実施形態においては、位置決め部材の腕部３０１ａ、３０１ｂが連結部材３０２で連結されていたが、連結部材３０２が無く腕部３０１ａと３０１ｂとが独立しており、それぞれが別の弾性部材によって付勢される構造でも良い。また、上記第２実施形態においても同様に、連結部材３２２が無く、腕部３２１ａと３２１ｂとが独立した構造であっても良い。
【００４８】
また、上記第１及び第２実施形態に係る卓上ホルダは、充電用の接触端子の一般的な機構と組み合わせることができる。
【００４９】
上記機構は、例えば、図２９に示すように、ポケット部に携帯電話機が挿入されていない場合は接触端子４０がポケット部から退出しており、ポケット部に携帯電話機P1またはP2が挿入された場合は、ポケット部に突出するボタン５０が携帯電話機P1またはP2に押圧されることにより、接触端子４０がポケット部内に突出するように構成してもよい。なお、上記ボタンがポケット部内の前後左右いずれかの面に形成され、位置決め部材がボタンの形成された面に携帯電話機を押圧して位置決めするよう構成してもよい。この構成によれば、携帯電話機に加えて位置決め部材がボタンを押圧するため、接触端子を確実に突出させることができる。
【００５０】
また、上記機構は、接触端子が常にポケット部内に突出しているものであってもよい。この場合は、例えば、携帯電話機がポケット部に挿入されていない場合には接触端子に電流が流れず、挿入された場合にスイッチが入ることによって電流が流れるように構成してもよいし、接触端子に常に電流が流れているように構成してもよい。接触端子に常に電流が流れているように構成する場合は、安全性の観点から、ポケット部は使用者が直接触れられないような深さを有していることが好ましい。
【００５１】
（第３実施形態）
以下、本発明に係る卓上ホルダの第３実施形態について図１４〜図１６を参照しつつ説明する。なお、説明の便宜上、各図の右側を前、左側を後と称することとする。
【００５２】
図１４〜図１６に示すように、第３実施形態に係る卓上ホルダ１３は、ホルダ本体２３に、位置決め部材３３がポケット部２３１内に突出するよう設置されており、接触端子４ａ、４ｂが第１の接触端子用孔２３１２ａ、２３１２ｂからポケット部２３１内に突出可能なよう設置されている。また、接触端子４ａ、４ｂは端子取り付け部材５３に取り付けられている。
【００５３】
図１４〜図１６に示すように、位置決め部材３３は、第２実施形態と同様の腕部３３１ａ、３３１ｂ及び連結部３３２を有しており、この連結部３３２には、ホルダ本体２３の後方かつ斜め下に向かって延び、後述する端子取り付け部材５３の被係合部５３１に係合するための棒状の係合部３３５が形成されている。位置決め部材３３は、第２実施形態と同様に、回転軸３３３ａ、３３３ｂを中心に回動可能なようホルダ本体２３に取り付けられている。そして、位置決め部材３３は、ねじりコイルばね６３ａ、６３ｂによって回転軸３３３ａ、３３３ｂを中心に反時計回りに付勢されていることで、ポケット部２３１に挿入された携帯電話機を当接面で３３１１ａ、３３１１ｂで押圧する。なお、上記ねじりコイルばね６３ａ、６３ｂは本発明の第１の弾性部材に相当する。
【００５４】
図１４及び図１６に示すように、端子取り付け部材５３は、側面視略Ｌ字状であり、一方の側面から突出し、位置決め部材３３の係合部３３５が係合するための被係合部５３１が形成されている。この端子取り付け部材５３は、接触端子４ａ、４ｂを取り付けるための第１の取り付け部５３３ａ、５３３ｂが両側面に形成されている。なお、接触端子４ａは、上向き凸状に形成された接触部４１ａとコイル部４２ａとを有しており、第１の取り付け部５３３ａ、５３３ｂにコイル部４２ａ、４２ｂが巻回されることにより、端子取り付け部材５３に取り付けられている。また、端子取り付け部材５３の両側面には回転軸５３２ａ、５３２ｂが形成されている。この端子取り付け部材５３は、接触部４１ａ、４１ｂの位置と第１の接触端子用孔２３１２ａ、２３１２ｂの位置とが整合し、被係合部５３１に位置決め部材３の係合部３３５が係合するようホルダ本体２３内に配置されている。そして、端子取り付け部材５３は、回転軸５３２ａ、５３２ｂを中心に回動可能なよう、ホルダ本体２３の底部に設けられた支持部材（図示省略）に取り付けられている。また、端子取り付け部材５３は、ホルダ本体２３の底部との間に設置された圧縮コイルばね７３によって回転軸５３２ａ、５３２ｂを中心に時計回りに付勢されているが、被係合部５３１に位置決め部材３３の係合部３３５が係合しており、係合部３３５が被係合部５３１を圧縮コイルばね７３の付勢力に抗して抑えている。このため、端子取り付け部材５３に取り付けられた接触端子４ａ、４ｂの接触部４１ａ、４１ｂは、第１の接触端子用孔２３１２ａ、２３１２ｂよりポケット部２３１内に突出しないようになっている。なお、上記圧縮コイルばね７３は本発明の第２の弾性部材に相当する。
【００５５】
次に、第３実施形態に係る卓上ホルダ１３の動作について図１７及び図１８も参照しつつ説明する。
【００５６】
まず、携帯電話機Ｐ３がポケット部２３１に挿入されていない場合について説明すると、図１４〜図１６に示すように、位置決め部材３３の係合部３３５が端子取り付け部材５３の被係合部５３１を抑えることによって、接触部４１ａ、４１ｂがポケット部２３１より退出している。また、位置決め部材３３の腕部３３１ａ、３３１ｂがポケット部２３１内に突出している。
【００５７】
次に、携帯電話機Ｐ３がポケット部２３１に挿入された場合について説明すると、図１７及び図１８に示すように、携帯電話機Ｐ３が前方に向かって位置決め部材３３の当接面３３１１ａ、３３１１ｂを押圧し、位置決め部材３３は回転軸３３３ａ、３３３ｂを中心に時計回りに回転する。これにより、係合部３３５と被係合部５３１との係合が解除され、端子取り付け部材５３は、被係合部５３１が係合部３３５に追従するように圧縮コイルばね７３に押されて回転軸５３２ａ、５３２ｂを中心に時計回りに回転し、ポケット部２３１の底面及び後面に沿う位置まで移動し、端子取り付け部材５３に取り付けられた接触端子４ａ、４ｂの接触部４１ａ、４１ｂが第１の接触端子用孔２３１２ａ、２３１２ｂよりポケット部２３１内に突出する。この位置で端子取り付け部材５３は停止する。位置決め部材３３は、端子取り付け部材５３が停止した後も、携帯電話機Ｐ３の厚みの分だけ回転する。端子取り付け部材５３が停止した後、係合部３３５は被係合部５３１から離れる。位置決め部材３３による携帯電話機Ｐ３の位置決め方法については、第２実施形態と同様であるため、説明を省略する。
【００５８】
なお、図１９に示すように、寸法の大きい携帯電話機Ｐ４がポケット部に挿入された場合も、寸法の小さい携帯電話機Ｐ３の場合と同様に、位置決め部材３３が回転軸３３３ａ、３３３ｂを中心に回転し、端子取り付け部材５３が移動して接触部４１ａ、４１ｂがポケット部２３１内に突出する。接触部４１ａ、４１ｂがポケット部内に突出すると、端子取り付け部材５３は停止するが、位置決め部材３３は携帯電話機Ｐ４に押圧されてさらに回転する。
【００５９】
以上のように、第３実施形態の卓上ホルダ１３は、携帯電話機がポケット部２３１に挿入されると、位置決め部材３３の回転により端子取り付け部材５３が移動し、接触部４１ａ、４１ｂがポケット部２３１内に突出する。接触部４１ａ、４１ｂがポケット部２３１内に突出した後は、端子取り付け部材５３は停止するが、位置決め部材３３は携帯電話機を位置決めするまで回転する。これにより、ポケット部２３１に挿入された携帯電話機の寸法に関わらず、接触部４１ａ、４１ｂを一定量突出させることができ、接触部４１ａ、４１ｂを携帯電話機の被接触端子に一定の圧力で接触させることができる。また、端子取り付け部材５３は、位置決め部材３３の回転により動作するため、携帯電話機の重量に関わらず、接触部４１ａ、４１ｂをポケット部２３１内に確実に突出させることができる。
【００６０】
ところで、上記第３実施形態においては、図１４〜図１６に示すように、端子取り付け部材５３には第２の取り付け部５３４ａ、５３４ｂが形成され、ポケット部２３１の後側面には第２の接触端子用孔２１３ａ、２１３ｂが形成されている。この第２の取り付け部５３４ａ、５３４ｂ及び第２の接触端子用孔２１３ａ、２１３ｂは、第１の取り付け部５３３ａ、５３３ｂ及び第１の接触端子用孔２３１２ａ、２３１２ｂの代わりに使用することができる。詳述すると、図２０に示すように、第２の取り付け部５３４ａ、５３４ｂにコイル部４２ａ、４２ｂを巻回し、接触部４１ａ、４１ｂが前向きになるよう、接触端子４ａ、４ｂを端子取り付け部材５３に取り付ける。そして、接触部４１ａ、４１ｂの位置と第２の接触端子用孔２１３ａ、２１３ｂの位置とが整合するよう、端子取り付け部材５３をホルダ本体２３内に配置する。携帯電話機Ｐ３がポケット部２３１に挿入されると、接触部４１ａ、４１ｂは、第２の接触端子用孔２１３ａ、２１３ｂからポケット部２３１内に突出し、携帯電話機Ｐ３背面の被接触端子（図示省略）に接触する。これにより、底面に被接触端子が設けられた携帯電話機、及び背面に被接触端子が設けられた携帯電話機に対して、同一の部品を利用し、端子の取り付け位置を変更するだけで、それぞれに対応した卓上ホルダを提供することができる。
【００６１】
また、上記第３実施形態においては、被係合部５３１に棒状の係合部３３５が係合することにより、位置決め部材３３が端子取り付け部材５３を抑えていたが、接触部４１ａ、４１ｂがポケット部２３１内に突出しないよう、端子取り付け部材５３を抑えることができればこれに限定されず、例えば、位置決め部材３３と端子取り付け部材５３とがカム機構を構成していてもよい。
【００６２】
（第４実施形態）
以下、本発明に係る卓上ホルダの第４実施形態について図２１及び図２２を参照しつつ説明する。
【００６３】
図２１及び図２２に示すように、第４実施形態に係る卓上ホルダ１４は、ホルダ本体２３に、位置決め部材３４がポケット部２３１内に突出するよう設置され、端子取り付け部材５４に取り付けられた接触端子４ａ、４ｂがポケット部２３１内に突出可能なよう設置されている。なお、ホルダ本体２３及び接触端子４ａ、４ｂの構成は第３実施形態と同様であり、同一構成は同一符号を付して説明を省略する。
【００６４】
図２１及び図２２に示すように、位置決め部材３４は、側面視略扇形状の腕部３４１ａ、３４１ｂを有しており、前面下部に後述する端子取り付け部材５４の凸部５４５１を収納するための段差３４６が形成され、カム機構を構成している。この位置決め部材３４は、第２実施形態と同様、回転軸３４３ａ、３４３ｂを中心に回動可能なようホルダ本体２３に取り付けられており、ねじりコイルばね６３ａ、６３ｂによって第３の回転軸３４３ａ、３４３ｂを中心に時計回りに付勢されることで、ポケット部２３１に挿入された携帯電話機を当接面３４１１ａ、３４１１ｂで押圧する。
【００６５】
図２１及び図２２に示すように、端子取り付け部材５４は、第１の取り付け部５４３ａ、５４３ｂが両側面に形成されており、この第１の取り付け部５４３ａ、５４３ｂには、第３実施形態と同様に、接触端子４ａ、４ｂが取り付けられている。端子取り付け部材５４は、回転軸５４２によって、位置決め部材３４に押圧されるための被押圧部材５４５と連結されている。この被押圧部材５４５の前端には上向きの凸部５４５１が形成されている。端子取り付け部材５４は、この凸部５４５１が位置決め部材の段差３４６に収納されるようホルダ本体２３内に配置され、回転軸５４２を中心に回動可能なようホルダ本体２３に取り付けられている。また、端子取り付け部材５４は、回転軸５４２に巻回されたねじりコイルばね７４によって、回転軸５４２を中心に反時計回りに付勢されており、これにより、接触部４１ａ、４１ｂがポケット部２３１より退出している。なお、ねじりコイルばね７４は本発明の第３の弾性部材に相当する。
【００６６】
次に、第４実施形態に係る卓上ホルダ１４の動作について図２３も参照しつつ説明する。
【００６７】
まず、携帯電話機Ｐ３がポケット部２３１に挿入されていない場合について説明すると、図２１に示すように、被押圧部材５４５の凸部５４５１が位置決め部材３４の段差３４６に収納されているため、接触部４１ａ、４１ｂはポケット部２３１より退出している。位置決め部材３４は、第３実施形態と同様に、ポケット部２３１内に設置されている。
【００６８】
次に、携帯電話機Ｐ３がポケット部２３１に挿入された場合について説明すると、図２３に示すように、位置決め部材３４は、携帯電話機Ｐ３に押圧され、第３の回転軸３４３ａ、３４３ｂを中心に反時計回りに回転する。これにより、凸部５４５１は位置決め部材３４の下面に沿って移動し、位置決め部材３４下面の、第３の回転軸３４３ａ、３４３ｂから垂直方向の距離が長い位置へ移動する。端子取り付け部材５４は、ねじりコイルばね７４の付勢力に抗して回転軸５４２を中心に時計回りに回転して、ポケット部２３１の底面及び後側面に沿う位置まで移動して停止する。これにより、接触部４１ａ、４１ｂがポケット部２３１内に突出する。位置決め部材３４は携帯電話機Ｐ３を位置決めするまでそのまま回転を続け、下面が凸部５４５１の上端を摺動するように前方へ移動する。位置決め部材３４による携帯電話機Ｐ３の位置決め方法については、第２実施形態と同様であるため、説明を省略する。
【００６９】
なお、図２４に示すように、寸法の大きい携帯電話機Ｐ４がポケット部に挿入された場合も、携帯電話機Ｐ３の場合と同様に、位置決め部材３４が携帯電話機Ｐ４に押圧されて回転し、端子取り付け部材５４が略扇形状の位置決め部材３４に押圧されて、接触部４１ａ、４１ｂがポケット部２３１内に突出する。位置決め部材３４は、回転軸３４３ａ、３４３ｂから下面までの距離が一定であるため、端子取り付け部材５４を一定の力で押圧する。これにより、位置決め部材３４が携帯電話機Ｐ４に押圧されて大きく回転しても、接触部４１ａ、４１ｂはポケット部２３１内に一定量しか突出しないようになっている。
【００７０】
以上のように、第４実施形態の卓上ホルダ１４は、携帯電話機がポケット部２３１に挿入されると、端子取り付け部材５４が略扇形状の位置決め部材３４に沿って移動する。これにより、第３実施形態と同様、接触部４１ａ、４１ｂをポケット部２３１内に一定量突出させることができ、接触部４１ａ、４１ｂを携帯電話機の被接触端子に一定の圧力で接触させることができる。
【００７１】
なお、上記第４実施形態においても、第３実施形態と同様に、第１の取り付け部５４３ａ、５４３ｂの代わりに第２の取り付け部５４４ａ、５４４ｂに接触端子４ａ、４ｂを取り付けることができる。
【００７２】
上記第４実施形態においては、位置決め部材３４の段差３４６に被押圧部材５４５の凸部５４５１が収納されていたが、これに限定されず、携帯電話機Ｐ３がポケット部２３１に挿入されていない場合に、端子取り付け部材５４をポケット部２３１に向かって押圧しないものであればよい。
【００７３】
（第５実施形態）
以下、本発明に係る卓上ホルダの第５実施形態について図２５〜図２７を参照しつつ説明する。なお、図２６及び図２７は後述する位置決め部材３５を省略した図となっている。
【００７４】
第５実施形態に係る卓上ホルダ１５は、ホルダ本体２３に、位置決め部材３５と、端子取り付け部材５５に取り付けられた接触端子４ａ、４ｂと、端子取り付け部材５５を押圧するための押圧部材８５とが設置されている。なお、ホルダ本体２３及び端子４ａ、４ｂは第１及び第２実施形態と同様の構成であり、同一構成は同一符号を付して説明を省略する。
【００７５】
図２５に示すように、位置決め部材３５は、第２実施形態の位置決め部材３２と同様の構成であり、端子取り付け部材５５及び押圧部材８５と接触しないようにホルダ本体２３内に配置されている。
【００７６】
図２６及び図２７に示すように、第１の端子取り付け部材５５ａは、側面視略コの字状に形成されており、連結部５５１によって、略逆Ｌ字状の第２の端子取り付け部材５５ｂと連結されている。第１及び第２の端子取り付け部材５５ａ、５５ｂは、それぞれ第１の取り付け部５５３ａ、５５３ｂが外側面に形成されており、この第１の端子取り付け部５５３ａ、５５３ｂには、第１及び第２実施形態と同様に、接触端子４ａ、４ｂが取り付けられている。第１及び第２の端子取り付け部材５５ａ、５５ｂは、第１の取り付け部５５３ａ、５５３ｂを中心に回動可能なよう、ホルダ本体２３に取り付けられている。また、第１及び第２の端子取り付け部材５５ａ、５５ｂは、第１の取り付け部５５３ａ、５５３ｂに巻回されたねじりコイルばね７５ａ、７５ｂによって、第１の取り付け部５５３ａ、５５３ｂを中心に反時計回りに付勢されており、これにより、接触部４１ａ、４１ｂがポケット部２３１より退出している。なお、上記ねじりコイルばね７５ａ、７５ｂは本発明の第５の弾性部材に相当する。
【００７７】
図２６及び図２７に示すように、押圧部材８５は、側面視略コの字状に形成されており、前方の端部の両側面に回転軸８５１ａ、８５１ｂが形成されている。この押圧部材８５は、前面が連結部５５１に当接し、ポケット部２３１に挿入された携帯電話機Ｐ３に押圧されるための後方端部に形成されるボタン部８５２がポケット部２３１の底面より突出している。押圧部材８５は、回転軸８５１ａ、８５１ｂを中心に回動可能なよう、ホルダ本体２３に取り付けられている。
【００７８】
次に、本実施形態に係る卓上ホルダ１５の動作について図２８も参照しつつ説明する。なお、図２８は位置決め部材３５を省略した図となっている。
【００７９】
まず、携帯電話機がポケット部２３１に挿入されていない場合について説明すると、図２５及び図２６に示すように、第１及び第２の端子取り付け部材５５ａ、５５ｂが第１の取り付け部５５３ａ、５５３ｂを中心に反時計回りに付勢されていることにより、接触部４１ａ、４１ｂがポケット部２３１より退出している。押圧部材８５は、前面が端子取り付け部材５５の連結部５５１と当接し、ボタン部８５２がポケット部２３１の底面から突出している。
【００８０】
次に、携帯電話機Ｐ３がポケット部２３１に挿入された場合について説明する。図２８に示すように、押圧部材８５は、携帯電話機Ｐ３によってボタン部８５２が下方向に押圧され、回転軸８５１ａ、８５１ｂを中心に反時計回りに回転して、端子取り付け部材５５の連結部５５１を下方向に押圧する。端子取り付け部材５５は、ねじりコイルばね７５ａ、７５ｂの付勢力に抗して第１の取り付け部５５３ａ、５５３ｂを中心に時計回りに回転して、ポケット部２３１の底面及び後面に沿う位置まで移動し、これにより、接触部４１ａ、４１ｂがポケット部２３１内に突出する。このとき、位置決め部材３５は、上記端子取り付け部材５５から独立して動作し、ポケット部２３１内において携帯電話機Ｐ３を位置決めする。なお、位置決め部材３５による携帯電話機Ｐ３の位置決め方法については、第２実施形態と同様であるため、説明を省略する。
【００８１】
以上のように、第５実施形態に係る卓上ホルダ１５は、ポケット部２３１に携帯電話機が挿入されると、押圧部材８５が端子取り付け部材５５を押圧することで、位置決め部材３５の動作に関わらず、接触部４１ａ、４１ｂがポケット部２３１内に突出する。これにより、ホルダ本体における位置決め部材の位置や動作に制限されることなく、接触端子の突出位置を決定することができる。
【００８２】
なお、上記第５実施形態においても、第３及び第４実施形態と同様に、第１の取り付け部５５３ａ、５５３ｂの代わりに第２の取り付け部５５４ａ、５５４ｂに接触端子４ａ、４ｂを取り付けることができる。
【００８３】
上記第５実施形態においては、接触端子４ａ、４ｂの接触部４１ａ、４１ｂがポケット部２３１より退出するよう端子取り付け部材５５を付勢していたが、接触部４１ａ、４１ｂがポケット部２３１から突出するよう、第４の弾性部材によって端子取り付け部材を付勢してもよい。例えば、この端子取り付け部材を第４の付勢力に抗して抑え、接触部４１ａ、４１ｂが突出しないよう規制する規制部材をホルダ本体２３内に配置する。そして、ポケット部２３１に携帯電話機Ｐ３が挿入された場合に、規制部材が移動して端子取り付け部材の規制を解除し、端子取り付け部材が第４の弾性部材によりポケット部２３１方向に移動することにより、接触部４１ａ、４１ｂがポケット部２３１から突出するよう構成する。
【００８４】
上記第３〜第５実施形態では、端子取り付け部材に第１及び第２の取り付け部を形成していたが、取り付け部を１つだけ形成してもよい。
【００８５】
また、上記第３〜第５実施形態では、端子取り付け部材は、底面及び後面に沿うよう形成されていたが、接触端子が必要量突出した位置で停止すればよく、例えば、他の部材に当接して停止するよう構成されていてもよい。
【００８６】
また、上記第３〜５実施形態では、第２の実施形態と同様の位置決め部材３３の場合を例として説明したが、第１の実施形態と同様の位置決め部材３０にも同様に適用できる。
【００８７】
以上、本発明に係る卓上ホルダの実施形態について説明したが、本発明は上記第１〜第５実施形態に限定されるものでなく、その趣旨を逸脱しない限りにおいて種々の変更が可能である。例えば、上記第１〜第５実施形態では、位置決め部材はねじりコイルばねによってポケット部の内側に向かって付勢されていたが、これに限定されず、ポケット部に挿入された携帯電話機の寸法に追従するよう位置決め部材が付勢されていればよい。
【００８８】
また、上記第１〜第５実施形態においては、接触端子４ａ、４ｂをポケット部２３１の背面や底面から突出させていたが、突出させた接触端子がポケット部内に挿入される携帯電話機の被接触端子に接触するものであればこれに限定されない。例えば、ポケット部の両側面から接触端子を突出させてもよいし、接触端子の間隔を変更してもよい。なお、第５実施形態に係る卓上ホルダのように、位置決め部材の動作によらずに接触端子がポケット部内に突出するよう構成した場合、接触端子の突出位置をより自由に決定することができる。
【００８９】
また、上記第１〜第５実施形態に係る卓上ホルダは、略立方体状に形成されていたが、これに限定されず、種々の形状に形成することができる。
【００９０】
また、上記第１〜第５実施形態に係る卓上ホルダは、直方体状の携帯電話機をポケット部に挿入して使用していたが、これに限定されず、例えば、丸みのある形状等、種々の形状の携帯電話機に対して使用することができる。
【００９１】
また、上記実施形態に係る卓上ホルダは、携帯電話機をポケット部内に縦向きに挿入して使用していたが、これに限定されるものではなく、例えば、横向きに挿入したり、斜め向きに挿入したりするタイプの充電装置に適用しても、安定して位置決めできる。
【００９２】
また、上記実施形態に係る卓上ホルダは、携帯電話機の充電装置に対して使用していたが、充電用の接触端子だけでなくデータ通信用の接触端子に対する位置決めにも利用可能である。また、電流やデータ等を送受信するための被接触端子を有する電子機器であれば携帯電話機に限定されず、例えば、デジタルカメラ、デジタルムービーカメラ、ゲーム機、携帯音楽プレーヤー、携帯情報端末、ノートブック型コンピュータ等、種々の電子機器に使用することができる。
【符号の説明】
【００９３】
１１、１２、１３、１４、１５                            卓上ホルダ
２０、２３                                              ホルダ本体
２０１、２３１                                          ポケット部
３０、３１ａ、ｂ、３１０ａ、ｂ、３２、３３、３４、３５  位置決め部材
３１０２ａ、ｂ                                          第１の支持部
３１０１ａ、ｂ                                          当接部材
３３５                                                  係合部
４、４０                                                接触端子
５３、５４ａ、５５ｂ                                    端子取り付け部材
５３１                                                  被係合部
５３３ａ、ｂ、５４３ａ、ｂ、５５３ａ、ｂ                第１の取り付け部
５３４ａ、ｂ、５４４ａ、ｂ、５５４ａ、ｂ                第２の取り付け部
６０ａ、ｂ、６３ａ、ｂ                                  第１の弾性部材
７３                                                    第２の弾性部材
７４                                                    第３の弾性部材
７５                                                    第５の弾性部材
８５                                                    押圧部材
【図１】
2010245972.tif 000003
【図２】
2010245972.tif 000004
【図３】
2010245972.tif 000005
【図４】
2010245972.tif 000006
【図５】
2010245972.tif 000007
【図６】
2010245972.tif 000008
【図７】
2010245972.tif 000009
【図８】
2010245972.tif 000010
【図９】
2010245972.tif 000011
【図１０】
2010245972.tif 000012
【図１１】
2010245972.tif 000013
【図１２】
2010245972.tif 000014
【図１３】
2010245972.tif 000015
【図１４】
2010245972.tif 000016
【図１５】
2010245972.tif 000017
【図１６】
2010245972.tif 000018
【図１７】
2010245972.tif 000019
【図１８】
2010245972.tif 000020
【図１９】
2010245972.tif 000021
【図２０】
2010245972.tif 000022
【図２１】
2010245972.tif 000023
【図２２】
2010245972.tif 000024
【図２３】
2010245972.tif 000025
【図２４】
2010245972.tif 000026
【図２５】
2010245972.tif 000027
【図２６】
2010245972.tif 000028
【図２７】
2010245972.tif 000029
【図２８】
2010245972.tif 000030
【図２９】
2010245972.tif 000031